(57)【特許請求の範囲】
【請求項１】
遮断器と、該遮断器に接続される母線および負荷ケーブルとを収納した複数の筺体が並設され、該複数の筺体間に配置された母線接続部により、複数の筺体内の母線同士が接続されたスイッチギヤにおける接触抵抗測定方法であって、
母線における母線側接地箇所と、測定対象となる遮断器に接続される負荷ケーブル側接地箇所との間で、測定リード線を用いて、測定対象となる遮断器の３相の開閉接点を直列接続し、
３相の母線側接地箇所、および、測定対象となる遮断器の３相の負荷ケーブル側接地箇所それぞれに、３相の母線側接地箇所、および、測定対象となる遮断器の３相の負荷ケーブル側接地箇所を相毎に切り換えるための複数組の一対の切換端子を接続し、
該複数組の一対の切換端子を組毎に切り換える一対の切換片に電圧計を接続し、
非測定対象の遮断器をオフ状態にする一方、測定対象となる遮断器の開閉接点をオン状態にして、所定の直流電流を流し、
相毎の開閉接点に対して電圧計が並列接続されるように、前記一対の切換片によって、複数組の一対の切換端子を組毎に切り換えて、母線側接地箇所と負荷ケーブル側接地箇所との間の電圧値を相毎に測定し、
前記複数組の一対の切換端子を、３相の母線側接地箇所、および、測定対象となる遮断器の３相の開閉接点の電源側接点それぞれに接続し、
該複数組の一対の切換端子を組毎に切り換える一対の切換片に電圧計を接続し、
非測定対象の遮断器をオフ状態にする一方、測定対象となる遮断器の開閉接点をオン状態にして、所定の直流電流を流し、
相毎の開閉接点に対して電圧計が並列接続されるように、前記一対の切換片によって、複数組の一対の切換端子を組毎に切り換えて、３相の母線側接地箇所と、測定対象となる遮断器の開閉接点の電源側接点との間の電圧値を相毎に測定し、
前記母線側接地箇所と負荷ケーブル側接地箇所との間の電圧値から得られる母線側接地箇所と負荷ケーブル側接地箇所との間の抵抗値から、前記母線側接地箇所と電源側接点との間の電圧値から得られる母線側接地箇所と電源側接点との間の抵抗値を差し引いて、相毎の電源側接点と負荷ケーブル側接地箇所との間の接触抵抗値を導き出すようにしたことを特徴とする接触抵抗測定方法。
【請求項２】
請求項１に記載の接触抵抗測定方法を、複数の遮断器について順次行っていくことを特徴とする接触抵抗測定方法。
【発明の詳細な説明】
【技術分野】
【０００１】
本発明は、例えば、遮断器や断路器などの開閉器の開閉接点の接触抵抗を測定する接触抵抗測定方法およびその方法に用いられる接触抵抗測定補助装置に関する。
【背景技術】
【０００２】
例えば、スイッチギヤに収納されている引出形遮断器の場合、スイッチギヤに固設される一対の固定側接触子に対して、引出形遮断器の一対の可動側接触子が接離することで、電路が開閉されるようになっている。そして、固定側接触子と可動側接触子との接触圧力が低下した場合、固定側接触子と可動側接触子との間が過熱状態になってしまう。このような状態を回避するために、接触抵抗を定期的に測定する必要がある。
【０００３】
そして、一般的な接触抵抗の測定方法としては、２つの金属導体を接触させて電流を流して、電圧を測定し、電圧と電流の関係から接触抵抗を計算して導き出している。このような測定方法に適した種々の接触抵抗測定装置が知られている。例えば、機械式の開閉接点を有する電気機器（遮断器や断路器などの開閉器）の開閉接点の接触抵抗を測定する接触抵抗測定装置は、開閉接点に測定リード線を介して接続された直流電源と、測定リード線に直列に接続された電流計と、電気機器（遮断器）に並列に接続された電圧計とを備えている（特許文献１参照）。
【０００４】
係る接触抵抗測定装置によれば、遮断器の開閉接点を投入状態にして、直流電源から遮断器に直流電流を流し、その電流値を電流計で測定し、遮断器の開閉接点の電圧を電圧計で測定し、電圧を電流で除して、開閉接点の接触抵抗を求めるようにしている。
【０００５】
また、例えば、図９（ａ）〜（ｃ）に示す従来の接触抵抗測定装置が一般的に知られている。該接触抵抗測定装置２００は、電圧計８と、直流電源９とを備えている。電圧計８は、遮断器５の３相の開閉接点Ｓ１〜Ｓ３の電源側接点Ｓａ１〜Ｓａ３および負荷側接点Ｓｂ１〜Ｓｂ３に相毎に接続される。この電圧計８は、＋端子８ａと、−端子８ｂと、メータ８ｃとを有している。直流電源９は、３相の開閉接点Ｓ１〜Ｓ３の電源側接点Ｓａ１〜Ｓａ３と負荷側接点Ｓｂ１〜Ｓｂ３とに相毎に接続されて、電源側接点Ｓａ１〜Ｓａ３と負荷側接点Ｓｂ１〜Ｓｂ３との間に直流電流を流す。この直流電源９は、＋端子９ａと、−端子９ｂと、メータ９ｃとを有している。そして、電圧計８および直流電源９は、筺体２０１に収納されている。
【０００６】
そして、この接触抵抗測定装置２００を用いて接触抵抗を測定する場合は、例えば、電圧計８の＋端子８ａ，−端子８ｂ、および、直流電源９の＋端子９ａ，−端子９ｂを、遮断器５の第３相の開閉接点Ｓ３の電源側接点Ｓａ３および負荷側接点Ｓｂ３に測定リード線Ｌによって接続して、直流電源９により第３相の開閉接点Ｓ３の電源側接点Ｓａ３および負荷側接点Ｓｂ３間に直流電流を流し、その電圧降下を電圧計８のメータ８ｃで読み取る。この作業を開閉接点Ｓ１〜Ｓ３の相毎に順次行って、電圧値を電流値で除して、電源側接点Ｓａ１〜Ｓａ３および負荷側接点Ｓｂ１〜Ｓｂ３間の相毎の接触抵抗を導き出す。
【先行技術文献】
【特許文献】
【０００７】
【特許文献１】特開昭５８−７０１７０号公報
【発明の概要】
【発明が解決しようとする課題】
【０００８】
ところで、遮断器や断路器などの開閉器は、上述したように、変電所に設置されるスイッチギヤの筺体に収納されており、開閉接点の電源側接点に母線が接続され、開閉接点の負荷側接点に負荷ケーブルが接続されている。したがって、前記特許文献１の接触抵抗測定装置、および、図９（ａ）〜（ｃ）に示す接触抵抗測定装置２００を用いて、遮断器５の３相毎の開閉接点Ｓ１〜Ｓ３の接触抵抗を測定しようとした場合、１相毎の開閉接点Ｓ１〜Ｓ３に対して電圧計８が並列接続されるように、複数（２〜３人）の作業者によって測定リード線Ｌをつなぎ変える必要がある。この測定リード線Ｌをつなぎ変える作業は遮断器の台数に応じて繰り返し行う必要があり、非常に煩雑で、多大の時間と労力とを要するという問題がある。
【０００９】
そこで、本発明は、複数の開閉接点の接触抵抗を相毎に効率よく測定することができて、接触抵抗を測定する時間を短縮できる接触抵抗測定方法およびその方法に用いられる接触抵抗測定補助装置を提供することを課題とする。
【課題を解決するための手段】
【００１４】
本発明に係る接触抵抗測定方法は、遮断器と、該遮断器に接続される母線および負荷ケーブルとを収納した複数の筺体が並設され、該複数の筺体間に配置された母線接続部により、複数の筺体内の母線同士が接続されたスイッチギヤにおける接触抵抗測定方法であって、
母線における母線側接地箇所と、測定対象となる遮断器に接続される負荷ケーブル側接地箇所との間で、測定リード線を用いて、測定対象となる遮断器の３相の開閉接点を直列接続し、
３相の母線側接地箇所、および、測定対象となる遮断器の３相の負荷ケーブル側接地箇所それぞれに、３相の母線側接地箇所、および、測定対象となる遮断器の３相の負荷ケーブル側接地箇所を相毎に切り換えるための複数組の一対の切換端子を接続し、
該複数組の一対の切換端子を組毎に切り換える一対の切換片に電圧計を接続し、
非測定対象の遮断器をオフ状態にする一方、測定対象となる遮断器の開閉接点をオン状態にして、所定の直流電流を流し、
相毎の開閉接点に対して電圧計が並列接続されるように、前記一対の切換片によって、複数組の一対の切換端子を組毎に切り換えて、母線側接地箇所と負荷ケーブル側接地箇所との間の電圧値を相毎に測定し、
前記複数組の一対の切換端子を、３相の母線側接地箇所、および、測定対象となる遮断器の３相の開閉接点の電源側接点それぞれに接続し、
該複数組の一対の切換端子を組毎に切り換える一対の切換片に電圧計を接続し、
非測定対象の遮断器をオフ状態にする一方、測定対象となる遮断器の開閉接点をオン状態にして、所定の直流電流を流し、
相毎の開閉接点に対して電圧計が並列接続されるように、前記一対の切換片によって、複数組の一対の切換端子を組毎に切り換えて、３相の母線側接地箇所と、測定対象となる遮断器の開閉接点の電源側接点との間の電圧値を相毎に測定し、
前記母線側接地箇所と負荷ケーブル側接地箇所との間の電圧値から得られる母線側接地箇所と負荷ケーブル側接地箇所との間の抵抗値から、前記母線側接地箇所と電源側接点との間の電圧値から得られる母線側接地箇所と電源側接点との間の抵抗値を差し引いて、相毎の電源側接点と負荷ケーブル側接地箇所との間の接触抵抗値を導き出すようにしたことを特徴とする。
【００１５】
かかる構成によれば、遮断器の３相の電源側接点および負荷側接点を直列接続して直流電流を流すようにしたので、電源側接点と負荷側接点との間の電圧値を相毎に順次測定できるようになる。そして、測定した電圧値と、直流電源の電流値とを、オームの法則の計算式に当てはめて、相毎の電源側接点および負荷側接点の接触抵抗を導き出せるようになる。
したがって、直列接続した遮断器の３相の電源側接点および負荷側接点の接触抵抗を短時間で測定することができる。また、この接触抵抗測定値は、開閉接点の接触抵抗に、母線接続部の接触抵抗を含む接触抵抗値となっている。
よって、母線側接地箇所と負荷ケーブル側接地箇所との間の電圧値から得られる母線側接地箇所と負荷ケーブル側接地箇所との間の抵抗値から、母線側接地箇所と電源側接点との間の電圧値から得られる母線側接地箇所と電源側接点との間の抵抗値を差し引いて、相毎の電源側接点と負荷ケーブル側接地箇所との間の接触抵抗値を導き出すことができる。
【００１８】
前記接触抵抗測定方法を、複数の遮断器について順次行っていくのが好ましい。
【００１９】
この場合、複数の遮断器が収容された筺体が並設されるスイッチギヤであっても、開閉接点の接触抵抗を相毎に効率よく測定することができ、接触抵抗測定作業にかかる時間を大幅に短縮することができる。
【発明の効果】
【００２２】
本発明によれば、母線が接続される電気機器の３相の開閉接点の電源側接点、および、負荷ケーブルが接続される電気機器の３相の開閉接点の負荷側接点を測定リード線によって交互に接続して、電気機器の３相の開閉接点を直列接続するとともに、直列接続された３相の開閉接点をオン状態にし、第１相の開閉接点の電源側接点と第３相の開閉接点の負荷側接点との間に所定の直流電流を流すようにしたので、３相の開閉接点に対して相毎に電圧計を接続することで、電源側接点と負荷側接点との間の電圧値を測定できるようになり、オームの法則による電圧値と電流値との関係から、３相の開閉接点の接触抵抗を効率よく導き出すことができる。すなわち、接触抵抗を測定する時間を大幅に短縮することができる。
【図面の簡単な説明】
【００２３】
【図１】引出形遮断器が収納されたスイッチギヤの概略斜視図。
【図２】図１のスイッチギヤの内部を示す側断面図であり、（ａ）は、引出形遮断器の投入状態を示す図、（ｂ）は、引出形遮断器のオフ状態を示す図。
【図３】図１のスイッチギヤ内部を含む配電線路の回路図。
【図４】（ａ）〜（ｃ）は、本発明の接触抵抗測定方法に使用される接触抵抗測定補助装置を示す図であり、（ａ）は、接触抵抗測定補助装置の平面図、（ｂ）は、接触抵抗測定補助装置の右側面図、（ｃ）は、接触抵抗測定補助装置の正面図。
【図５】（ａ）〜（ｃ）は、引出形遮断器の接触抵抗測定方法をわかりやすく説明するための図であり、（ａ）は、３相の開閉接点の第３相の電源側接点および負荷側接点間の接触抵抗を測定する図、（ｂ）は、３相の開閉接点の第２相の電源側接点および負荷側接点間の接触抵抗を測定する図、（ｃ）は、３相の開閉接点の第１相の電源側接点および負荷側接点間の接触抵抗を測定する図。
【図６】（ａ），（ｂ）は、本発明の一実施形態に係る接触抵抗測定方法を示す図であり、（ａ）は、図１及び図２に示すスイッチギヤの第１番目の引出形遮断器の開閉接点の接触抵抗を測定する図、（ｂ）は、第２番目の引出形遮断器の開閉接点の接触抵抗を測定する図。
【図７】図１および図２に示すスイッチギヤの母線接続部の接触抵抗を測定する図。
【図８】本発明の他の実施形態に係る接触抵抗測定方法を示す概略斜視図。
【図９】（ａ）〜（ｃ）は、従来の接触抵抗測定方法、および、従来の接触抵抗測定補助装置を示す図。
【発明を実施するための形態】
【００２４】
本発明に係る接触抵抗測定方法および接触抵抗測定補助装置の一実施形態について図１〜図７を参照しながら説明する。なお、図５（ａ）〜（ｃ）は、複数の開閉接点の接触抵抗を測定する接触抵抗測定方法を説明するための図であり、図６（ａ），（ｂ）は、複数の引出形遮断器の開閉接点の接触抵抗を実際に測定する図である。
【００２５】
本実施形態に係る接触抵抗測定方法について説明する前に、まず、スイッチギヤの全体構成について図１および図２（ａ），（ｂ）を参照して説明する。該スイッチギヤ１は、横一列に並設された複数の筺体２，…と、該筺体２，２間に配置された母線接続部３，…とを備えている。筺体２は、遮断器室２ａと、配線室２ｂとを備えている。遮断器室２ａおよび配線室２ｂは、上下方向の隔壁２０によって前後に区分けされている。また、隔壁２０には、３相の電源側固定接触子（電源側固定接点）３０，…および負荷側固定接触子（負荷側固定接点）３１，…が配置されている。この電源側固定接触子３０，…および負荷側固定接触子３１，…には、後述する引出形遮断器５の３相の電源側可動接触子（電源側可動接点）５２，…および負荷側可動接触子（負荷側可動接点）５３，…が接離する。遮断器室２ａは、支持板２１と、引出形遮断器５とを備えている。支持板２１は、所定高さに水平支持され、遮断器室２ａを上下に区分している。引出形遮断器５は、本体５０の底部に配置されたローラ５１，…と、本体５０の後部に配置された３相の電源側可動接触子（電源側可動接点）５２，…と、負荷側可動接触子（負荷側可動接点）５３，…とを備えている。そして、支持板２１の上に配置された一対のレール（図示せず）の上を、引出形遮断器５のローラ５１，…が移動することで、遮断器室２ａに引出形遮断器５が出し入れ自在に収納されている。配線室２ｂには、引出形遮断器５に接続される母線ＢＵＳおよび負荷ケーブルＫとが収納されている。また、母線接続部３には、複数の筺体２，…間に配設される母線ＢＵＳ同士が互いに接続されている（図示せず）。
【００２６】
図３は、配電線路の回路図を示しており、該配電線路の回路６は、変圧器一次遮断器ＣＢ０と、配電用変圧器Ｔと、変圧器２次遮断器ＣＢ１と、スイッチギヤ１の複数の筺体２，…に収容された引出形遮断器５，…とを備えている。なお、図中の符号ＢＵＳは、母線、Ｋは負荷ケーブル、Ａ，Ｃは、接触抵抗を測定するアクセスポイント（母線接地箇所および負荷ケーブル接地箇所）を示す。また、アクセスポイントＡ，Ｃは、図２（ａ），（ｂ）、図６、図７においても示されている。
【００２７】
そして、変圧器１次遮断器ＣＢ０は、配電用変圧器Ｔの一次側に接続され、変圧器２次遮断器ＣＢ１は、配電用変圧器Ｔの二次側に接続されている。配電用変圧器Ｔは、高電圧を低電圧に変換する。変圧器２次遮断器ＣＢ１に母線ＢＵＳを介して複数の引出形遮断器５，…が接続されている。また、複数の引出形遮断器５，…のそれぞれの二次側に負荷ケーブルＫ，…が接続されている。
【００２８】
つぎに、接触抵抗測定方法に用いられる接触抵抗測定補助装置について、図４（ａ）〜（ｃ）および図５を参照して説明する。該接触抵抗測定補助装置７は、３組の一対の切換端子ａ１〜ａ３、ｂ１〜ｂ３と、一対の切換片７ａ，７ａを同時に操作する操作片７０と、電圧計８が接続される接続端子Ｖ１，Ｖ２とを備えている。３組の一対の切換端子ａ１〜ａ３、ｂ１〜ｂ３は、測定リード線（わたり線）Ｌａによって直列接続された３相の開閉接点Ｓ１〜Ｓ３の電源側接点Ｓａ１〜Ｓａ３および負荷側接点Ｓｂ１〜Ｓｂ３それぞれに接続される。操作片７０は、３組の一対の切換端子ａ１〜ａ３、ｂ１〜ｂ３を組毎に切り換える一対の切換片７ａ，７ａを同時に操作して、３相の開閉接点Ｓ１〜Ｓ３の電源側接点Ｓａ１〜Ｓａ３および負荷側接点Ｓｂ１〜Ｓｂ３を相毎に切り換える。要するに、この接触抵抗測定補助装置７は、切換回路で構成されている。このため、常時携帯できる程度の大きさと重さになっており、作業現場に容易に携帯でき、接触抵抗測定作業を効率よく行うことができる。
【００２９】
そして、この接触抵抗測定補助装置７とは別に、電圧計８と、直流電源９とを有する接触抵抗測定装置２００を備えている（図５（ａ）〜（ｃ）参照）。電圧計８は、接触抵抗測定補助装置７の接続端子Ｖ１，Ｖ２（一対の切換片７ａ，７ａ）に接続されて、３相の開閉接点Ｓ１〜Ｓ３に対して並列接続される。直流電源９は、直列接続された３相の開閉接点Ｓ１〜Ｓ３の電源側接点Ｓａ１〜Ｓａ３および負荷側接点Ｓｂ１〜Ｓｂ３間に直流電流を流す。なお、接触抵抗測定補助装置７および接触抵抗測定装置２００と、引出形遮断器５のアクセスポイントＡ１〜Ａ３，Ｃ１〜Ｃ３との接続、および、開閉接点Ｓ１〜Ｓ３との接続は、測定リード線Ｌによって行われる。
【００３０】
この接触抵抗測定補助装置７によれば、一対の切換片７ａ，７ａを操作片７０により操作するだけで、切換端子ａ１〜ａ３、ｂ１〜ｂ３に接続される３相の開閉接点Ｓ１〜Ｓ３が相毎に切り換えられて、相毎に切り換えられた開閉接点Ｓ１〜Ｓ３に対して電圧計８が並列接続される。そして、オームの法則に基づく電圧値と電流値との関係から、３相の開閉接点Ｓ１〜Ｓ３の接触抵抗を相毎に導き出すことができる。
【００３１】
つぎに本発明の接触抵抗測定方法について、図５（ａ）〜（ｃ）を参照して説明する。まず、変圧器１次遮断器ＣＢ０をオフ状態にして、変圧器２次遮断器ＣＢ１をオフ状態にする。そして、接触抵抗測定補助装置７の接続端子Ｖ１，Ｖ２に、接触抵抗測定装置２００の電圧計８の＋端子８ａおよび−端子８ｂを接続する。また、直流電源９の＋端子９ａを第３相の電源側接点Ｓａ３に接続し、−端子９ｂを第１相の負荷側接点Ｓｂ１に接続する。そして、母線ＢＵＳが接続される引出形遮断器５の３相の開閉接点Ｓ１〜Ｓ３の電源側接点Ｓａ１〜Ｓａ３、および、負荷ケーブルＫが接続される引出形遮断器５の３相の開閉接点Ｓ１〜Ｓ３の負荷側接点Ｓｂ１〜Ｓｂ３を測定リード線（わたり線）Ｌａによって交互に接続して、引出形遮断器５の３相の開閉接点Ｓ１〜Ｓ３を直列接続する。つぎに、接触抵抗測定補助装置７の複数組の一対の切換端子ａ１〜ａ３、ｂ１〜ｂ３と、引出形遮断器５の開閉接点の電源側接点Ｓａ１〜Ｓａ３および負荷側接点Ｓｂ１〜Ｓｂ３とを接続する。そして、直列接続された３相の開閉接点Ｓ１〜Ｓ３をオン状態にし、第１相の開閉接点Ｓ１の電源側接点Ｓａ１と第３相の開閉接点Ｓ３の負荷側接点Ｓｂ３との間に、直流電源９から所定の直流電流を流す。
【００３２】
そして、一対の切換片７ａ，７ａを相毎に切換操作して、相毎の開閉接点Ｓ１〜Ｓ３に対して電圧計８を並列接続することで、開閉接点Ｓ１〜Ｓ３の電源側接点Ｓａ１〜Ｓａ３と負荷側接点Ｓｂ１〜Ｓｂ３との間の電圧降下を測定できるようになる。そして、測定した電圧値と、直流電源９の電流値とを、オームの法則の計算式に当てはめて、相毎の開閉接点Ｓ１〜Ｓ３の接触抵抗を導き出せるようになる。
【００３３】
つぎに本発明の接触抵抗測定方法について、図１および図２（ａ），（ｂ）に示すスイッチギヤ１の複数の筺体２に収納された引出形遮断器５を例にとって説明する。まず、図６（ａ）に示すように、図６（ａ）を正面から見て右端（第１番目）の引出形遮断器５の接触抵抗を測定する場合において、接触抵抗測定補助装置７の電圧計の接続端子Ｖ１，Ｖ２に、接触抵抗測定装置２００の電圧計８の＋端子８ａおよび−端子８ｂを接続する。また、直流電源９の＋端子９ａを第３相の母線側接地箇所（アクセスポイントＡ３）に接続し、−端子９ｂを第１相の負荷ケーブル接地箇所（アクセスポイントＣ１）に接続する。そして、第１相および第２相の母線側接地箇所（アクセスポイントＡ１，Ａ２）と、第１番目（右端）の引出形遮断器５に接続される第２相および第３相の負荷ケーブル側接地箇所（アクセスポイントＣ２，Ｃ３）とにおいて、それぞれ測定リード線（わたり線）Ｌａを接続し、第１番目の引出形遮断器５の３相の開閉接点Ｓ１〜Ｓ３を直列接続する。
【００３４】
そして、３相の母線接地箇所（アクセスポイントＡ１〜Ａ３）、および、第１番目の引出形遮断器５の３相の負荷ケーブル接地箇所（アクセスポイントＣ１〜Ｃ３）それぞれに、３相の母線接地箇所（アクセスポイントＡ１〜Ａ３）、および、測定対象となる引出形遮断器５の３相の負荷ケーブル接地箇所（アクセスポイントＣ１〜Ｃ３）を相毎に切り換えるための複数組の一対の切換端子ａ１〜ａ３、ｂ１〜ｂ３を接続する。
【００３５】
但し、この場合、図５（ａ）〜（ｃ）の場合と異なり、第１相および第２相の母線側接地箇所（アクセスポイントＡ１，Ａ２）と、第１番目（右端）の引出形遮断器５に接続される第２相および第３相の負荷ケーブル側接地箇所（アクセスポイントＣ２，Ｃ３）とにおいて、それぞれ測定リード線（わたり線）Ｌａを接続しているので、母線接地箇所（アクセスポイントＡ２）に切換端子ｂ２を接続し、負荷ケーブル接地箇所（アクセスポイントＣ２）に切換端子ａ２を接続する。そして、母線接地箇所（アクセスポイントＡ１，Ａ３）に切換端子ａ１，ａ３を接続し、負荷ケーブル接地箇所（アクセスポイントＣ１，Ｃ３）に切換端子ｂ１，ｂ３を接続する。
【００３６】
図６（ａ）の接続によって、直流電源９の＋端子９ａ、母線側接地箇所（アクセスポイントＡ３）、引出形遮断器５の第３相の電源側接点Ｓａ３、負荷側接点Ｓｂ３、負荷ケーブル側接地箇所（アクセスポイントＣ３）、測定リード線（わたり線）Ｌａ、引出形遮断器５の第２相の負荷側接点Ｓｂ２、電源側接点Ｓａ２、母線接地箇所（アクセスポイントＡ２）、測定リード線（わたり線）Ｌａ、母線接地箇所（アクセスポイントＡ１）、引出形遮断器５の第１相の電源側接点Ｓａ１、負荷側接点Ｓｂ１、直流電源９の−端子９ｂを電流が通るようになる。
【００３７】
また、図６（ａ）の接続によって、電圧計８の＋端子８ａ、接続端子Ｖ１、切換片７ａ、切換端子ａ３、母線接地箇所（アクセスポイントＡ３）、引出形遮断器５の第３相の電源側接点Ｓａ３、電圧計８の−端子８ｂ、接続端子Ｖ２、切換片７ａ、切換端子ｂ３、負荷ケーブル接地箇所（アクセスポイントＣ３）、引出形遮断器５の第３相の負荷側接点Ｓｂ３による電圧測定回路が形成される。この電圧測定回路は、一対の切換片７ａ，７ａの切換位置によって３つ形成され、これらの電圧測定回路が切り換えられるようになっている。
【００３８】
そして、複数組の一対の切換端子ａ１〜ａ３、ｂ１〜ｂ３を組毎に切り換える一対の切換片７ａ，７ａ（接触抵抗測定補助装置７の接続端子Ｖ１，Ｖ２）に電圧計８の＋端子８ａおよび−端子８ｂを接続する。
【００３９】
つぎに、非測定対象の引出形遮断器５の全てをオフ状態にする一方、第１番目の引出形遮断器５の開閉接点Ｓ１〜Ｓ３をオン状態にして、所定の直流電流を流す。そして、一対の切換片７ａ，７ａによって、複数組の一対の切換端子ａ１〜ａ３、ｂ１〜ｂ３を組毎に切り換えて、相毎の開閉接点Ｓ１〜Ｓ３に対して電圧計８を並列接続し、母線側接地箇所（アクセスポイントＡ１〜Ａ３）と負荷ケーブル接地箇所（アクセスポイントＣ１〜Ｃ３）との間の電圧値を相毎に測定する。この場合、引出形遮断器５の開閉接点Ｓ１〜Ｓ３の接触抵抗に母線接続部３の接触抵抗を含む接触抵抗を測定することになる。
【００４０】
つぎに、図７に示すように、第１番目の引出形遮断器５の３相の開閉接点Ｓ１〜Ｓ３の電源側接点Ｓａ１〜Ｓａ３に、切換端子ｂ１，ａ２，ｂ３を接続する。そして、非測定対象の引出形遮断器５の全てをオフ状態にする一方、第１番目の引出形遮断器５の開閉接点Ｓ１〜Ｓ３をオン状態にして、所定の直流電流を流す。つぎに、一対の切換片７ａ，７ａによって、複数組の一対の切換端子ａ１〜ａ３、ｂ１〜ｂ３を組毎に切り換えて、相毎の開閉接点Ｓ１〜Ｓ３に対して電圧計８を並列接続する。そして、３相の母線接地箇所（アクセスポイントＡ）と、第１番目の引出形遮断器５の開閉接点Ｓ１〜Ｓ３の電源側接点Ｓａ１〜Ｓａ３との間の電圧値を相毎に測定する。この場合、母線接続部３のみの接触抵抗を測定できるようになる。
【００４１】
そして、開閉接点Ｓの接触抵抗に、母線接続部３の接触抵抗を含む接触抵抗測定値から、母線接続部３のみの接触抵抗値を差し引けば、開閉接点Ｓの接触抵抗値を導き出せる。
【００４２】
つぎに、図６（ｂ）に示すように、第２番目の引出形遮断器５に接続される第２相および第３相の負荷ケーブル側接地箇所（アクセスポイントＣ２，Ｃ３）に、測定リード線（わたり線）Ｌａを接続する。一方、第１相の負荷ケーブル側接地箇所（アクセスポイントＣ１）に、直流電源９の−端子を接続する。そして、負荷ケーブル側接地箇所（アクセスポイントＣ１〜Ｃ３）に、切換端子ｂ１，ａ２，ｂ３を接続し、同様に接触抵抗を測定する。このようにして、最終番目の引出形遮断器５まで順次繰り返し行う。したがって、複数の引出形遮断器５，…が収容された筺体２，…が並設されるスイッチギヤ１であっても、効率よく接触抵抗を測定することができる。
【００４３】
このように、前記実施形態によれば、測定対象となる引出形遮断器５の３相の開閉接点Ｓ１〜Ｓ３を直列接続するとともに、直列接続された３相の開閉接点Ｓ１〜Ｓ３をオン状態にして、第１相の開閉接点Ｓ１の電源側接点Ｓａ１と第３相の開閉接点Ｓ３の負荷側接点Ｓｂ３との間に所定の直流電流を流す一方、一対の切換片７ａ，７ａを操作して、３相の開閉接点Ｓ１〜Ｓ３に対して相毎に電圧計８を並列接続し、開閉接点Ｓ１〜Ｓ３の電源側接点Ｓａ１〜Ｓａ３と負荷側接点Ｓｂ１〜Ｓｂ３との間の電圧値を測定する。そして、オームの法則による電圧値と電流値との関係から、３相の開閉接点Ｓ１〜Ｓ３の接触抵抗を効率よく測定することができる。また、母線接地箇所（アクセスポイントＡ１〜Ａ３）と負荷ケーブル接地箇所（アクセスポイントＣ１〜Ｃ３）との間における引出形遮断器５の開閉接点Ｓ１〜Ｓ３の接触抵抗測定値から、母線接地箇所（アクセスポイントＡ１〜Ａ３）と引出形遮断器５の電源側接点Ｓａ１〜Ｓａ３との間の接触抵抗測定値（母線接続部３の接触抵抗測定値）を差し引くことで、引出形遮断器５の開閉接点Ｓ１〜Ｓ３の真の接触抵抗測定値を導き出すことができる。
【００４４】
なお、本発明は、前記実施形態に限定されるものではなく、種々変更することができる。
【００４５】
例えば、前記実施形態の場合、引出形遮断器５が収納された複数の筺体２，…が並設されたスイッチギヤ１について説明したが、ガス遮断器が内装されたガス絶縁開閉装置についても、本発明の接触抵抗測定方法およびその方法に用いられる接触抵抗測定補助装置を適用することができる。
【００４６】
まず、ガス絶縁開閉装置の構成について図８を参照して説明する。該ガス絶縁開閉装置１０は、設置台１１と、架台１２と、３つの容器１３，…と、一対のブッシング１４，１５とを備えている。設置台１１は、３つの容器１３，…を支持するように骨組みされた架台１２が固設されている。容器１２は、ガス遮断器（図示せず）が収容されるとともに、消弧能力と絶縁性が高い六フッ化硫黄が充填されている。電源側ブッシング１４は、下端部がガス遮断器の固定側接点に接続される電源側端子１４ａを備えている。該固定側端子１４ａには、母線ＢＵＳが接続されている。負荷側ブッシング１５は、下端部がガス遮断器の負荷側接点に接続される負荷側端子１５ａを備えている。該負荷側端子１５ａには、負荷ケーブルＫが接続されている。
【００４７】
そして、図５（ａ）〜（ｃ）の場合と同様に、ガス遮断器の３相の開閉接点Ｓ１〜Ｓ３を測定リード線（わたり線）Ｌａによって直列接続する。そして、ガス遮断器の開閉接点をオン状態にする。一方、３相の電源側ブッシング１４の電源側端子１４ａ、および、負荷側ブッシング１５の負荷側端子１５ａに、複数組の一対の切換端子ａ１〜ａ３、ｂ１〜ｂ３を接続する。そして、複数組の一対の切換端子ａ１〜ａ３、ｂ１〜ｂ３を組毎に切り換える一対の切換片７ａ，７ａの接続端子Ｖ１，Ｖ２に電圧計８の＋端子８ａ，−端子８ｂを接続する。つぎに、第３相の母線ＢＵＳ３に直流電源９の＋端子９ａを接続し，−端子９ｂを第１相の負荷ケーブルＫ１に接続する。
【００４８】
そして、直流電源９からガス遮断器の開閉接点に所定の直流電流を流して、一対の切換片７ａ，７ａによって、複数組の一対の切換端子ａ１〜ａ３、ｂ１〜ｂ３を組毎に切り換えて、相毎の開閉接点Ｓ１〜Ｓ３に対して電圧計８を並列接続して、電源側ケーブル接地箇所と負荷ケーブル接地箇所との間の電圧値を相毎に測定する。
【符号の説明】
【００４９】
１…スイッチギヤ、３…母線接続部、５…電気機器（引出形遮断器）、７…接触抵抗測定補助装置、７ａ…切換片、ａ１〜ａ３、ｂ１〜ｂ３…切換端子、８…電圧計、９…直流電源、１０…ガス絶縁開閉装置、ＢＵＳ…母線、Ａ１〜Ａ３…母線接地箇所（アクセスポイント）、Ｃ１〜Ｃ３…負荷ケーブル接地箇所（アクセスポイント）、Ｋ…負荷ケーブル、Ｌａ…測定リード線（わたり線）、Ｓ１〜Ｓ３…開閉接点、Ｓａ１〜Ｓａ３…電源側接点、Ｓｂ１〜Ｓｂ３…負荷側接点
【図１】
0005961410.tif 000002
【図２】
0005961410.tif 000003
【図３】
0005961410.tif 000004
【図４】
0005961410.tif 000005
【図５】
0005961410.tif 000006
【図６】
0005961410.tif 000007
【図７】
0005961410.tif 000008
【図８】
0005961410.tif 000009
【図９】
0005961410.tif 000010